(57)【特許請求の範囲】
【請求項１】
マルチメディアブロードキャストマルチキャストサービス動的多重化のリソース配分方法であって、該方法は、
ネットワーク側設備が1つまたは複数のマルチキャスト・ブロードキャスト単一周波数ネットワーク(MBSFN)のサブフレームに対しそれぞれに変調および符号化方式(MCS)を配置し、且つ前記MCSに基づいて前記MBSFNサブフレームにベアラされる物理マルチキャストチャネル(PMCH)のデータに対して変調・符号化処理を行うことを含み、そのうち、
前記ネットワーク側設備が前記の1つまたは複数のMBSFNサブフレームにMCSを配置することは、具体的に、
ネットワーク側設備は、マルチキャストブロードキャスト単一周波数ネットワークサブフレーム配分図案(MSAP) オケージョンにおける1つまたは複数のMBSFNサブフレームに対しそれぞれにMCSを配置する方式、或いは
ネットワーク側設備は、MSAP オケージョンにおける1つまたは複数の前記MBSFNサブフレームをセクション区割して、各セクションには1つまたは複数のMBSFNサブフレームを含み、前記ネットワーク側設備は各セクションのMBSFNサブフレームに対しそれぞれにMCSを配置する方式、或いは
ネットワーク側設備は、MSAPオケージョンを構成する各MSAP配置が対応する前記MBSFNサブフレームにそれぞれにMCSを配置する方式の中の1つを採用することを特徴とする。
【請求項２】
前記方法は、さらに、
前記ネットワーク側設備は、サービススケジューリングを行う時に、同じサービス品質需要を有するロジカルチャネルデータを連続的なMBSFNサブフレームにスケジューリングすることを含むことを特徴とする請求項1に記載の方法。
【請求項３】
前記ネットワーク側設備は、MCSを配置した後、1つの時間帯内において1つまたは複数のMBSFNサブフレームにベアラしたPMCHが採用するMCSをユーザー装置(UE)に知らせ、
前記UEは、前記時間帯内で前記MBSFNサブフレームにベアラしたPMCHが採用するMCSを知り、前記MCSに基づいて、受信した前記MBSFNサブフレームにベアラしたPMCHのデータに対してデコード処理を行うことを特徴とする請求項1に記載の方法。
【請求項４】
前記ネットワーク側設備は、シグナリングメッセージによって1つの時間帯内で1つまたは複数のMBSFNサブフレームにベアラしたPMCHが採用するMCSをUEに知らせ、
前記シグナリングメッセージは、システムメッセージ、MCCHメッセージ、スケジューリング情報、MBSFNサブフレームにベアラした物理チャネルシグナリング、またはMAC制御情報ブロックであることを特徴とする請求項3に記載の方法。
【請求項５】
ネットワーク側設備は、1つの時間帯内で1つまたは複数のMBSFNサブフレームにベアラしたPMCHが採用するMCSをUEに知らせることは、具体的に、
前記ネットワーク側設備は、UEに具体的な変調符号化情報を知らせること、或いは
前記ネットワーク側設備は、UEに1つのMCSリストのインデックスを知らせ、前記ネットワーク側設備は、さらに、UEに前記MCSリストを知らせ、前記リストに1つまたは複数のMCS配置を含み、前記MCS配置は具体的なMCS配置内容であり、或いはプロトコル予め定義した1組のMCS配置情報の中の1つへ指すのであること、或いは
前記ネットワーク側設備は、UEに1つのMCSリストにおける1つのMCS配置標識を知らせ、前記ネットワーク側設備はさらに、UEに前記MCSリストを知らせ、前記リストは1つまたは複数のMCS配置を含み、MCS配置ごとに1つの配置標識を対応し、前記MCS配置は具体的なMCS配置内容であり、或いはプロトコル予め定義した1組のMCS配置情報の中の1つへ指すのであること、或いは
前記ネットワーク側設備は、プロトコルが予め定義した1つのMCSリストのインデックスをUEに知らせること、或いは
ネットワーク側設備がUEに採用するMCSを指示しないと、前記MCSがデフォルトの配置であり、前記デフォルト配置情報をシステムメッセージまたはMCCHメッセージによってUEに知らせることであることを特徴とする請求項3に記載の方法。
【請求項６】
前記方法は、さらに、
前記ネットワーク側設備は、システムメッセージまたはMCCHメッセージによって前記1つの時間帯内で採用するすべてのMCSを指示し、
前記UEが正確的に前記シグナリングメッセージを受信しないと、受信された前記採用するすべてのMCSに基づいて、ブラインド検出試みの方式を用いて前記MBSFNサブフレームに対してデコード処理を行うことを含むことを特徴とする請求項1に記載の方法。
【請求項７】
マルチメディアブロードキャストマルチキャストサービス動的多重化のリソース配分方法であって、該方法は、
ネットワーク側設備は1つまたは複数のロジカルチャネルにそれぞれにMCSを配置し、且つ前記MCSに基づいて前記ロジカルチャネルをベアラするMBSFNサブフレームがベアラするPMCHのデータに対して変調符号化を行うことを含み、そのうち、
前記ネットワーク側設備が前記ロジカルチャネルにMCSを配置し、具体的に、
ネットワーク側設備は、MSAPオケージョンで送信した1つまたは複数のロジカルチャネルを分類し、各類のロジカルチャネルにそれぞれにMCSを配置する方式、或いは
ネットワーク側設備は、MSAPオケージョンで送信した1つまたは複数のロジカルチャネルをセクション区切して、各ロジカルチャネルセクションにそれぞれにMCSを配置し、各ロジカルチャネルのセクションにはシグナリングメッセージで連続的に配置される1つまたは複数のロジカルチャネルを含む方式の中の1つを採用することを特徴とする。
【請求項８】
前記方法は、さらに、
前記ネットワーク側設備がサービススケジューリングを行う時に、ネットワーク側設備は同じサービス品質需要を有するロジカルチャネルデータが連続的に送信されることを設置することを含むことを特徴とする請求項7に記載の方法。
【請求項９】
前記方法は、さらに、
前記ネットワーク側設備がMCSを配置した後、1つの時間帯内で1つのまたは複数のロジカルチャネルに対応するMCSをUEに知らせ、且つ前記時間帯内で1つまたは複数のロジカルチャネルにてマッピングしたMBSFNサブフレーム位置情報をUEに知らせ、
UEが前記MBSFNサブフレーム位置情報によって前記時間帯内で前記ロジカルチャネルが所在するMBSFNサブフレームに採用されるMCSを知り、且つ前記MCSに基づいて前記MBSFNサブフレームにベアラしたPMCHのデータに対してデコード処理を行うことを含むことを特徴とする請求項7に記載の方法。
【請求項１０】
前記ネットワーク側設備は、シグナリングメッセージによって1つの時間帯内で1つのまたは複数のロジカルチャネルに対応するMCSをUEに知らせ、
前記シグナリングメッセージがシステムメッセージ、MCCHメッセージまたはスケジューリング情報であることを特徴とする請求項9に記載の方法。
【請求項１１】
前記ネットワーク側設備が1つの時間帯内で1つのまたは複数のロジカルチャネルに対応するMCSをUEに知らせることは、具体的に、
前記ネットワーク側設備が具体的な変調符号化情報をUEに知らせること、或いは
前記ネットワーク側設備が1つのMCSリストのインデックスをUEに知らせ、前記ネットワーク側設備が、さらに、前記MCSリストをUEに知らせ、前記リストが1つまたは複数のMCS配置を含み、前記MCS配置が具体的なMCS配置内容であり、或いはプロトコル予め定義した1組のMCS配置情報の中の1つへ指すのであること、或いは
前記ネットワーク側設備が1つのMCSリストの中の1つのMCS配置標識をUEに知らせ、前記ネットワーク側設備がさらに、前記MCSリストをUEに知らせ、前記リストが1つまたは複数のMCS配置を含み、MCS配置ごとに1つの配置標識を対応し、前記MCS配置が具体的なMCS配置内容であり、或いはプロトコル予め定義した1組のMCS配置情報の中の1つへ指すのであること、或いは
前記ネットワーク側設備が1つのプロトコルに予め定義されたMCSリストのインデックスをUEに知らせること、或いは
ネットワーク側設備がUEに採用するMCSを指示しないと、前記MCSがデフォルトの配置であり、前記デフォルト配置情報をシステムメッセージまたはMCCHメッセージによってUEに知らせることであることを特徴とする請求項10に記載の方法。
【請求項１２】
前記方法は、さらに、
前記ネットワーク側設備がシステムメッセージまたはMCCHメッセージによって前記1つの時間帯内で採用したすべてのMCSを指示し、
前記UEが正確的に前記シグナリングメッセージを受信しないと、受信した前記採用するすべてのMCSに基づいて、ブラインド検出試みの方式を用いて前記MBSFNサブフレームに対してデコード処理を行うことを含むことを特徴とする請求項7に記載の方法。
【請求項１３】
異なるMCSを配置したロジカルチャネルデータが、同一のMBSFNサブフレームにてベアラされるPMCHをマッピングすると、ネットワーク側設備は、予め設定した規則を用いて1つのMCSを選択し、前記MBSFNサブフレームにベアラされるPMCHデータに対して変調符号化処理を行うことを特徴とする請求項7に記載の方法。
【請求項１４】
前記予め設定した規則は、前記異なるMCS中の最高のMCSを選択し、或いは、前記異なるMCS中の最低のMCSを選択することであることを特徴とする請求項13に記載の方法。
【請求項１５】
マルチメディアブロードキャストマルチキャストサービス動的多重化のリソース配分方法であって、該方法は、
ネットワーク側設備がMSAPオケージョン内において採用する1つまたは複数のMCSを配置し、且つ前記MSAPオケージョン内において採用するMCS及び前記MCSの応用順番をUEに指示することを含み、
前記ネットワーク側設備は、前記MSAPオケージョン内において採用するMCSを配置する時に、同じMCSを採用するサービスのデータを前記MSAPオケージョン内で連続的にスケジューリングして送信することを特徴とする。
【請求項１６】
前記ネットワーク側設備は、システムメッセージ或いはMCCHメッセージ或いはスケジューリング情報によって、前記MSAPオケージョン 内において採用するMCS及び前記MCSの応用順番をUEに指示することを特徴とする請求項15に記載の方法。
【請求項１７】
前記UEは、前記MCSの応用順番に基づいてMCSを順次に選択し、受信した前記MSAPオケージョン 内のMBSFNサブフレームに対してブラインド検出を行うことを特徴とする請求項15に記載の方法。
【発明の詳細な説明】
【技術分野】
【０００１】
本発明は、LTE(Long Term Evolution、ロング・ターム・エボリューション)システムに関し、特に、MBMS(Multimedia Broadcast Multicast Service、マルチメディアブロードキャストマルチキャスト業務)動的多重化のリソース配分方法に関する。
【背景技術】
【０００２】
Internetの急速な発展と大画面多機能携帯電話の普及につれて、大量の移動データマルチメディア業務と各種の高帯域幅マルチメディア業務が現れてきて、例えば、ビデオ会議、テレビ放送、ビデオオンデマンド、広告、オンライン教育、インタラクティブゲームなどがあり、移動ユーザーの絶えずに上昇する業務需要を満たしつつ、移動事業者に新しい業務成長のポイントをもたらす。これらの移動データマルチメディア業務は、複数のユーザーが同時に同じデータを受信することができることを求めて、一般的なデータ業務と比べて、データ量が多く、持続時間が長く、ディレイが敏感であるなどの特徴点を有する。
【０００３】
移動ネットワークリソースを効率的に利用するために、3GPP (3rd Generation Partnership Project、第3世代パートナーシップ・プロジェクト)はMBMS業務を提出しており、この業務が1つのデータソースから複数の目標にデータを伝送する技術であり、ネットワーク(コアネットワークとアクセスネットワークを含む)リソースのシェアを実現させて、ネットワークリソース(特に無線インタフェースリソース)の利用率を向上させる。3GPPで定義したMBMSが純粋なテキスト低レートのメッセージ類マルチキャストとブロードキャストを実現することができるだけではなく、さらに高速マルチメディア業務のブロードキャストとマルチキャストを実現し、多種の豊富なビデオ、オーディオ及びマルチメディア業務を提供することもでき、これが未来移動データ発展の形勢に順応して、LTEの発展によりよい業務見込みを提供する間違いがない。
【０００４】
LTEにおいて、MBMS業務はマルチキャストモード方式を採用することができ、MBSFN(Multicast/Broadcast over Single Frequency Network、マルチキャスト・ ブロードキャスト単一周波数ネットワーク)送信モードと称し、マルチキャストモードで送信したMBMS業務がMBSFN業務とも称し、複数のセルで同じ変調後のコーディングフォーマットを採用し、同じ物理リソースを採用して同じ内容を送信することができ、MBMS多セル伝送の特徴は、1)MBSFN領域内において同期伝送すること、2)多セルMBMS伝送併合を支持すること、3)MTCH (Multicast traffic Channel、マルチキャストトラフィックチャネル)とMCCH (Multicast Control Channel、マルチキャストコントロールチャネル)がp-T-m (ポイント対マルチポイント)モードでMCH(Multicast Channel、マルチキャストチャネル)伝送チャネルにマッピングすること、4)MBSFN同期領域、MBSNF領域、MBSFN伝送、広告、予備セルがいずれも操作によりセミスタティック配置を保つことを備える。このように、複数のセルのUE(User equipment、ユーザー設備)が複数の内容同じMBMSデータを受信してSFN併合を行うことができ、それにより、受信信号のゲインを向上させることができる。同じ物理リソースとMBSFN送信モードを採用して同じMBMSサービスを送信する複数のセルが1つのMBSFN領域を構成する。実際のLTEネットワーキングにおいて、1つのMBSFN領域に若干のMBSFN業務を有し、これらの同一のMBSFN領域に属する全てのMBSFN業務が1つのMBSFN業務グループと称し、つまり、1つのMBSFN業務グループが1つのMBSFN領域のみに属する。1つのMBSFN領域が複数のセルを含み、各セルがいずれも完全に同じ1つのMBSFN業務グループを配置する。同じMBSFN領域を備える複数のMBSFN業務のデータチャネルMTCH、及びMBSFN業務の制御チャネルMCCHが1つのMCHに多重化することができる。同じMBSFN領域のMCCHと複数のMTCH、即ち、複数のロジカルチャネルが同一な伝送チャネルMCHにマッピングすることができ、伝送チャネルMCHがPMCH(Physical Multicast Channel、物理マルチキャストチャネル)にマッピングし、1つのPMCHが周波数領域において1つのサブフレームの一部または全部を占拠し、つまり、1つのMBSFNサブフレームに周波数分割によって複数のPMCHを多重化することができ、好ましくは、1つのMBSFNサブフレームの全周波数領域が1つのPMCHのみに配分される。
【０００５】
図1に示すように、LTEシステムにおいて、MCHが伝送チャネルであり、ポイント対マルチポイントの伝送を行うことを特徴とし、対応する物理リソースがシステムで伝送MBMSサービス(MTCH)について配分したマルチキャストリソースであり、1つのMCHがいくつかのマルチキャストリソースにベアラし、これらのマルチキャストリソースが、若干のMBSFNフレームとMBSFNサブフレームとを含む。これらのマルチキャストリソースの配置が無線フレーム配分モードと無線サブフレーム配分モードを含み、各MBSFN領域のマルチキャストリソースが、サブフレームを単位として一定の図案に従って複数のグループに分けることができ、各グループが1つのMCHを構成し、或いは複数のグループが1つのMCHを構成することができる。それでは、各MCHの構成の時に使用した図案がこのMCHのMSAP(MBSFN subframe allocation pattern、マルチキャストブロードキャスト単一周波数ネットワークサブフレーム配分図案)と称し、1セットのMSAPが1つのMCHチャネルの物理リソースを描写する。各セルにおいて1つまたは複数のMCHを有してもよく、各MCHがいずれも1セットのMSAPにしか対応しなく、且つ1つのMBSFN領域にしか属しなく、しかし、各MBSFN領域1つまたは複数のMCHを有してもよく、各MCHに配置したマルチキャストリソースの配置方法が、各MCHのいずれかについて1セットのMSAPを配置するものである。
【０００６】
図2に示すように、MTCHの送信効率を向上させるために、各MCHにベアラする複数のMTCHが、動的スケジューリングの方法を採用することができ、動的スケジューリングすることによって2つまたは2つ以上のMTCHを同一のMBSFNサブフレームに多重化してこのサブフレームの一部リソースを占用することができる。従来の公開技術において、MSAP概念では同時にMSAP occasion(MSAPオケージョン )を導入し、それが1つの時間帯内でのあるMSAPに対応する1つのMCHに含んだ全部のマルチキャストリソースを指示する。1つのMSAP occasionにおいて複数のMTCHと動的スケジューリング情報を送信することができ、MCCHを含むこともでき、動的スケジューリング情報がMAC制御部分(MAC control element)にベアラし用いて、或いは単独のロジカルチャネルMSCH(Multicast scheduling channel、マルチキャストスケジューリングチャネル)にベアラすることができ、1つのMSAP occasion時間長さが1つのスケジューリング周期であり、1つの動的スケジューリング周期とも称する。1つのMCHがMSAPによって1つまたは複数のMBSFNフレームの中の1つまたは複数のMBSFNサブフレームを配分しており、その中、マルチキャストモードで送信したサブフレームがMBSFNサブフレームと称し、MBSFNサブフレーム含有のフレームがMBSFNフレームと称する。
【０００７】
1つのMCHで配置した各MSAP occasionに動的スケジューリング情報をベアラし、本発明において、単にスケジューリング情報と称することもあり、MTCHから補助MBSFNサブフレームまでのマッピング情報を携帯し、このようなマッピング情報が、1つのスケジューリング周期内でのMBSFNサブフレーム番号インデックス関係で決定され、UEは、スケジューリング情報を読み取ることによりMTCHがどれらのMBSFNサブフレームに配分されるかを知り、相応なMBSFNサブフレームにおいて興味あるMTCHを読み取って、読み取る必要がないMBSFNサブフレームを無視することができ、従って、UEによるMBMSサービス受信効率を向上させ、UEによる電気エネルギー消耗を節約する。ここで前記MBSFNサブフレーム番号が以下のように決定する。1つのMCHが1つのスケジューリング周期内で配分したすべてのMBSFNサブフレームを順番に従って配列して、順次に番号をつける。例えば、MCHチャネルが1つの周期内で配分したMBSFNサブフレーム数の総量を100とすると、サブフレーム番号が0から99であり、或いは、1から100である。
【０００８】
従来のLTE技術において、複数の伝送チャネルが以下の方式によってMCHチャネルを多重化する。1つのサブフレームが1つのTTI(伝送時間間隔)に対応し、1つのTTI内で1つまたは複数の伝送ブロック(TB、Transport Block)を送信することができ、各伝送ブロックが1つのMAC PDU(メディアアクセス制御層 プロトコル・データ・ ユニット)に対応する。1つのMAC PDUにおいて、複数のMAC SDU(サービスデータユニット)を含むことができ、これらのMAC SDUが異なるロジカルチャネルからのものであることができ、本発明において、可能であるロジカルチャネルは、MTCH、MCCH、MSCH等を含む。これらの異なるロジカルチャネルからのデータは、MAC PDUにおいて一体にシリーズした後、物理チャネルに送信する。異なるロジカルチャネルからのMAC SDUを区別するために、MAC PDUにおいて標識情報を携帯し、具体的に、ロジカルチャネルの標識と、このロジカルチャネルのデータブロックがMAC PDUにおける位置情報等を有し、受信端で異なるロジカルチャネルのデータブロックを区別することに用いられる。
【０００９】
MBMS業務の動的多重化に対して、1つのスケジューリング周期内において、1つのMTCHまたは1つのMBMS業務のデータが連続的に送信され、つまり、1つののデータは、この業務が該スケジューリング周期内に送信する必要があるサービスデータを全部送信し終わるまで、連続的にMCHチャネルのMBSFNサブフレームリソースを占用する。異なる業務のデータが同一MBSFNサブフレーム内に送信することができる。つまり、同一MAC PDUにおいて、異なる業務からの業務データが一体にシリーズして送信することができる。前記サービス送信順番がMCCHチャネルまたは他のシグナリングによって受信端に知らせることができる。
【００１０】
LTEシステムにおいて、伝送チャネルが伝送ブロックを生成して物理チャネルに送信し、物理チャネルが伝送ブロックに対して物理チャネル処理を行い、符号化を含み、符号化方式がターボ符号或いは畳込み符号を含み、符号処理は、さらに、データに対してボーリング及びインタレース処理を行い、物理チャネル処理は、さらに、符号化などの処理を行ったデータを変調してから無線インタフェースに送信することを含み、変調は、QPSK或いは8PSK或いは16QAM或いは32QAM等々であってもよい。異なる変調とコーディングがチャネルの帯域幅とチャネル品質に影響を及ぼし、例えば、比較的高いコーディング速率が比較的低い冗長データを有し、このように相対的に伝送できるサービスデータが多く、しかし、コードゲインが低減し、チャネルビットエラーレートが相対的に高くなり、また例えば、QPSKが16QAMに対して比較的小さい業務データベアラ能力を有し、しかし、チャネル環境への要求がより低くなるため、チャネルビットエラーレートが比較的小さい。LTEシステムにおいてMCSの概念を定義し、MCSとは、変調および符号化方案(Modulation and Coding Scheme)であり、1セットのMCSは、変調及び符号化の方式、レートなどのパラメータを含んでいる。
【００１１】
MBMS業務類型に応じて、異なる業務が異なるQoS要求を有し、例えば、オーディオとビデオなどのマルチメディアリアルタイム業務は、ユーザーの受信視聴感じを向上させるために、比較的低いチャネルビットエラーレートを要求し、一般的に、このような業務のチャネルビットエラーレートが1%に達することを要求する。LTEシステムにおいては、テキスト或いはダウンロード類の業務について、帯域幅の高いことを要求するが、チャネルのビットエラーレートへの要求が相対に低く、このような業務のチャネルビットエラーレートが10%に達すればよく、MCCH、MSCHのような制御シグナリングのロジカルチャネルメッセージが、無線インタフェース送信する時に、チャネルのビットエラーレートに対してもっと高い要求がある。これらのチャネルビットエラーレートに対して異なる要求がある業務、及び、制御シグナリングのロジカルチャネルが同一伝送チャネルに多重化し、さらに同一物理チャネルにマッピングする時に、どのように異なるの業務に対して異なるチャネル変調符号化方案を採用することにより、無線リソースの利用効率を向上させ、各種の異なる業務と制御シグナリングの伝送要求を満たすという問題を解決する必要がある。
【発明の概要】
【発明が解決しようとする課題】
【００１２】
本発明が解決しようとする技術課題は、マルチメディアマルチキャスト業務がチャネルをシェアする時のリソース利用効率を向上させるマルチメディアブロードキャストマルチキャスト業務動的多重化のリソース配分方法を提出することである。
【課題を解決するための手段】
【００１３】
上記技術課題を解決するために、本発明は、マルチメディアブロードキャストマルチキャスト業務動的多重化のリソース配分方法を提供し、
ネットワーク側設備が、1つまたは複数のマルチキャスト・ブロードキャスト単一周波数ネットワーク(MBSFN)のサブフレームにそれぞれに変調および符号化方案(MCS)を配置し、且つ前記MCSに基づいて前記MBSFNサブフレームにベアラする物理マルチキャストチャネル(PMCH)のデータに対して変調・符号化処理を行うことを含む。
【００１４】
さらに、前記リソース配分方法においては、以下の特徴を有してもよい。
【００１５】
前記ネットワーク側設備が前記1つまたは複数のMBSFNサブフレームにMCSを配置し、具体的に、
ネットワーク側設備は、マルチキャストブロードキャスト単一周波数ネットワークサブフレーム配分図案(MSAP)オケージョン における1つまたは複数のMBSFNサブフレームにそれぞれにMCSを配置する方式、或いは
ネットワーク側設備は、MSAP オケージョン における1つまたは複数の前記MBSFNサブフレームをセクションに区割して、それぞれのセクションには1つまたは複数のMBSFNサブフレームを含み、各セクションのMBSFNサブフレームにそれぞれにMCSを配置する方式、或いは
ネットワーク側設備は、MSAPオケージョン を構成するMSAP配置のそれぞれが対応する前記MBSFNサブフレームにそれぞれにMCSを配置する方式の1つを採用する。。
【００１６】
さらに、前記リソース配分方法においては、以下の特徴を有してもよい。
【００１７】
前記ネットワーク側設備は、業務スケジューリングを行う時に、同じサービス品質需要を有するロジカルチャネルデータを連続的なMBSFNサブフレームにスケジューリングする。
【００１８】
さらに、前記リソース配分方法においては、以下の特徴を有してもよい。
【００１９】
前記ネットワーク側設備は、MCSを配置した後、1つの時間帯内において1つまたは複数のMBSFNサブフレームにベアラしたPMCHが採用するMCSをユーザー装置UEに知らせ、
UEは、前記時間帯内前記MBSFNサブフレームにベアラするPMCHが採用するMCSを取得して、前記MCSに基づいて、受信した前記MBSFNサブフレームにベアラするPMCHのデータに対してデコード処理を行う。
【００２０】
さらに、前記リソース配分方法においては、以下の特徴を有してもよい。
【００２１】
前記ネットワーク側設備は、シグナリングメッセージによって、1つの時間帯内に1つまたは複数のMBSFNサブフレームにベアラするPMCHが採用するMCSをUEに知らせ、
前記シグナリングメッセージは、システムメッセージ、MCCHメッセージ、スケジューリング情報、MBSFNサブフレームにベアラする物理チャネルシグナリング、またはMAC制御情報ブロックである。
【００２２】
さらに、前記リソース配分方法は、以下の特徴を有してもよい。
【００２３】
ネットワーク側設備がUEに採用するMCSを知らせることは、具体的に、
前記ネットワーク側設備は、UEに具体的な変調符号化情報を知らせること、或いは
前記ネットワーク側設備は、UEに1つのMCSリストのインデックスを知らせ、前記ネットワーク側設備は、さらにUEに前記MCSリストを知らせ、前記リストが1つまたは複数のMCS配置を含み、前記MCS配置が具体的なMCS配置内容であり、或いはプロトコル予め定義した1組のMCS配置情報の中の1つへ指すのであること、或いは
前記ネットワーク側設備は、UEに1つのMCSリストにおける1つのMCS配置標識を知らせ、前記ネットワーク側設備は、さらに、UEに前記MCSリストを知らせ、前記リストが1つまたは複数のMCS配置を含み、MCS配置ごとに1つの配置標識を対応し、前記MCS配置が具体的なMCS配置内容であり、或いはプロトコル予め定義した1組のMCS配置情報の1つへ指すのであること、或いは
前記ネットワーク側設備は、UEにプロトコルが予め定義した1つのMCSリストのインデックスを知らせること、或いは
ネットワーク側設備がUEに採用するMCSを指示しないと、前記MCSがデフォルトの配置であり、前記デフォルト配置情報をシステムメッセージまたはMCCHメッセージによってUEに知らせることである。
【００２４】
さらに、前記リソース配分方法においては、以下の特徴を有してもよい。
【００２５】
前記ネットワーク側設備は、システムメッセージまたはMCCHメッセージによって前記1つの時間帯内で採用するすべてのMCSを指示し、
前記UEが正確的に前記シグナリングメッセージを受信しないと、受信した前記採用するすべてのMCSに基づいて、ブラインド検出試みの方式を用いて前記MBSFNサブフレームに対してデコード処理を行う。
【００２６】
上記技術課題を解決するために、本発明は、マルチメディアブロードキャストマルチキャスト業務動的多重化のリソース配分方法を提供し、
ネットワーク側設備が1つまたは複数のロジカルチャネルにそれぞれMCSを配置し、且つ前記MCSに基づいて前記ロジカルチャネルをベアラするMBSFNサブフレームにベアラするPMCHのデータに対して変調符号化処理を行うことを含む。
【００２７】
さらに、前記リソース配分方法においては、以下の特徴を有してもよい。
【００２８】
前記ネットワーク側設備は、前記ロジカルチャネルにMCSを配置し、具体的に、
ネットワーク側設備は、MSAPオケージョン で送信した1つまたは複数のロジカルチャネルにそれぞれにMCSを配置する方式、或いは
ネットワーク側設備は、MSAPオケージョン に送信した1つまたは複数のロジカルチャネルを分類し、各類のロジカルチャネルにそれぞれにMCSを配置する方式、或いは
ネットワーク側設備は、MSAPオケージョン で送信した1つまたは複数のロジカルチャネルをセクションして、ロジカルチャネルセクションごとにそれぞれにMCSを配置し、各ロジカルチャネルのセクションがシグナリングメッセージで連続的に配置する1つまたは複数のロジカルチャネルを含む方式の1つを採用する。
【００２９】
さらに、前記リソース配分方法においては、以下の特徴を有してもよい。
【００３０】
前記ネットワーク側設備がサービススケジューリングを行う時に、ネットワーク側設備が同じサービス品質需要を有するロジカルチャネルデータを連続的に送信するように設置している。
さらに、前記リソース配分方法においては、以下の特徴を有してもよい。
【００３１】
前記ネットワーク側設備がMCSを配置した後、1つの時間帯内で1つのまたは複数のロジカルチャネルの対応のMCSをUEに知らせ、且つ前記時間帯内で1つまたは複数のロジカルチャネルにマッピングしたMBSFNサブフレーム位置情報をUEに知らせ、UEが前記MBSFNサブフレーム位置情報によって、前記時間帯内で前記ロジカルチャネルが所在するMBSFNサブフレームに採用されるMCSを取得し、且つ前記MCSに基づいて前記MBSFNサブフレームにベアラするPMCHのデータに対してデコード処理を行う。
【００３２】
さらに、前記リソース配分方法においては、以下の特徴を有してもよい。
【００３３】
前記ネットワーク側設備は、シグナリングメッセージによって1つの時間帯内で1つのまたは複数のロジカルチャネルの対応のMCSをUEに知らせ、
前記シグナリングメッセージがシステムメッセージ、MCCHメッセージ或いはスケジューリング情報である。
さらに、前記リソース配分方法においては、以下の特徴を有してもよい。
【００３４】
前記ネットワーク側設備は、UEに採用するMCSを知らせることは、具体的に以下方式の1つであり、
前記ネットワーク側設備がUEに具体的な変調符号化情報を知らせること、或いは
前記ネットワーク側設備がUEに1つのMCSリストのインデックスを知らせ、前記ネットワーク側設備が、さらに、UEに前記MCSリストを知らせ、前記リストが1つまたは複数のMCS配置を含み、前記MCS配置が具体的なMCS配置内容であり、或いはプロトコル予め定義した1組のMCS配置情報の中1つへ指すのであること、或いは
前記ネットワーク側設備が1つのMCSリストの1つのMCS配置標識をUEに知らせ、前記ネットワーク側設備がさらに、UEに前記MCSリストを知らせ、前記リストが1つまたは複数のMCS配置を含み、MCS配置ごとに1つの配置標識を対応し、前記MCS配置が具体的なMCS配置内容であり、或いはプロトコル予め定義した1組のMCS配置情報の中1つへ指すであること、或いは
前記ネットワーク側設備は、1つのプロトコルに予め定義したMCSリストのインデックスをUEに知らせること、或いは
ネットワーク側設備は、UEに採用するMCSを指示しないと、前記MCSがデフォルトの配置であり、前記デフォルト配置情報をシステムメッセージ或いはMCCHメッセージによってUEに知らせることである。
【００３５】
さらに、前記リソース配分方法においては、以下の特徴を有してもよい。
【００３６】
前記ネットワーク側設備がシステムメッセージまたはMCCHメッセージによって前記1つの時間帯内で採用したすべてのMCSを指示し、
前記UEが正確的に前記シグナリングメッセージを受信しないと、受信した前記採用するすべてのMCSに基づいて、ブラインド検出試めの方式を用いて前記MBSFNサブフレームに対してデコード処理を行う。
【００３７】
さらに、前記リソース配分方法においては、以下の特徴を有してもよい。
【００３８】
異なるMCSを配置したロジカルチャネルデータが、同一MBSFNサブフレームにベアラするPMCHをマッピングすると、ネットワーク側設備は、予め設定した規則を用いて1つのMCSを選択して前記MBSFNサブフレームにベアラするPMCHデータに対して変調符号化処理を行う。
【００３９】
さらに、前記リソース配分方法においては、以下の特徴を有してもよい。
【００４０】
前記予め設定した規則は、以下方式の1種である。
【００４１】
前記異なるMCSに最高のMCSを選択し或いは前記異なるMCSに最低のMCSを選択する。
【００４２】
前記技術課題を解決するために、本発明は、マルチメディアブロードキャストマルチキャスト業務動的多重化のリソース配分方法を提供し、
ネットワーク側設備がMSAPオケージョン 内において採用する1つまたは複数のMCSを配置し、且つ、前記MSAPオケージョン 内に採用するMCS及び前記MCSの応用順番をUEに指示することを含む。
【００４３】
さらに、前記リソース配分方法においては、以下の特徴を有してもよい。
【００４４】
前記ネットワーク側設備は、システムメッセージ或いはMCCHメッセージ或いはスケジューリング情報によって、前記MSAPオケージョン 内において採用するMCS及び前記MCSの応用順番をUEに指示する。
【００４５】
さらに、前記リソース配分方法においては、以下の特徴を有してもよい。
【００４６】
前記ネットワーク側設備は、前記MSAPオケージョン 内において採用するMCSを配置する時に、同じMCSを採用する業務のデータを前記MSAPオケージョン 内で連続的にスケジューリングして送信する。
【００４７】
さらに、前記リソース配分方法においては、以下の特徴を有してもよい。
【００４８】
UEは、前記MCSの応用順番に基づいて順次にMCSを選択し、受信した前記MSAPオケージョン 内のMBSFNサブフレームに対してブラインド検出を行う。
【発明の効果】
【００４９】
本発明に提供された方法によって、ネットワーク側設備は、MBMSサービスの異なるロジカルチャネルに基づいてサービス品質の異なる需要に対して、異なる物理層を採用して変調符号化し、リソース利用率を向上させ、異なる業務需要を満たす目的に達する。
【図面の簡単な説明】
【００５０】
【図１】従来の技術において1つのMCHのMSAP occasionが配分するマルチキャストリソースの模式図。
【図２】スケジューリングブロック及びそれが複数のMTCHマルチキャストリソースを指示する模式図。
【図３】本発明に係る実施例一においてマルチメディアブロードキャストマルチキャスト業務動的多重化のリソース配分方法のフローチャート図。
【発明を実施するための形態】
【００５１】
本発明において、ネットワーク側設備(例えば基地局)は、ロジカルチャネルの伝送需要に応じて、前記ロジカルチャネル或いは前記ロジカルチャネルをベアラするMBSFNサブフレームにMCSを配置し、且つ前記MCSを使用して前記ロジカルチャネルをベアラするMBSFNサブフレームにベアラされるPMCHのデータ(即ちMCH伝送ブロック)に対して変調符号化処理を行う。
【００５２】
具体的に、前記ネットワーク側設備は、前記MBSFNサブフレームにMCSを配置し、以下の方式の1つを採用することができる。
【００５３】
(1)ネットワーク側設備は、MSAP occasionにおける1つまたは複数の前記MBSFNサブフレームにそれぞれにMCSを配置する。
【００５４】
(2)ネットワーク側設備は、MSAP occasionにおける1つまたは複数の前記MBSFNサブフレームをセクションし、その中、それぞれのセクションには1つまたは複数のMBSFNサブフレームを含み、ネットワーク側設備は、各セクションのMBSFNサブフレームにそれぞれにMCSを配置する。
【００５５】
(3)ネットワーク側設備は、MSAP occasionを構成する各MSAP配置に対応する前記MBSFNサブフレームにそれぞれにMCSを配置する。
【００５６】
前記ネットワーク側設備が前記ロジカルチャネルにMCSを配置することは、以下方式の1つを採用することができる。
【００５７】
(1)ネットワーク側設備は、MSAP occasionにおいて送信した1つまたは複数のロジカルチャネルにそれぞれにMCSを配置し、
(2)ネットワーク側設備は、MSAP occasionにおいて送信した1つまたは複数のロジカルチャネルを分類し、各類のロジカルチャネルにそれぞれにMCSを配置する。
【００５８】
(3)ネットワーク側設備は、MSAP occasionにおいて送信した1つまたは複数のロジカルチャネルをセクションし、ロジカルチャネルセクションごとにそれぞれにMCSを配置し、ロジカルチャネルセクションごとには、1つまたは複数のシグナリングメッセージにおいて連続的に配置するロジカルチャネルを含む。
【００５９】
以下、図面及び具体的な実施例を用いて本発明について詳しく説明する。
【実施例１】
【００６０】
本実施例において、ネットワーク側設備は、異なるMBSFNサブフレームにベアラするロジカルチャネルの需要に応じて、MBSFNサブフレームに対して異なるMCSを配置することにより、MBSFNサブフレームベアラのPMCHに異なるMCSを採用させ、つまり、MBSFNサブフレームにベアラするMCH伝送ブロックに対して異なるMCSを採用して処理を行う。MBSFNサブフレームにベアラするMCH伝送ブロックのそれぞれが1つのMCS配置に対応し、異なるMBSFNサブフレームにベアラするMCH伝送ブロックは、異なるMCSを採用することができる。
【００６１】
ネットワーク側設備は、シグナリングメッセージ1によって、1つの時間帯内で1つまたは複数のMBSFNサブフレームにベアラするPMCHが採用するMCSをUEに知らせる。UEは、前記シグナリングメッセージに基づいて前記時間帯内で前記MBSFNサブフレームにベアラするPMCHが採用するMCSを取得し、且つ前記MCSに基づいて前記MBSFNサブフレームにベアラするPMCHのデータに対してデコード処理を行う。
【００６２】
好ましくは、ネットワーク側設備は、下記の方式によって前記1つの時間帯内でMBSFNサブフレームにベアラするPMCHのMCSをUEに知らせることができるが、それらの方式に限定しない。
【００６３】
ネットワーク側設備は、前記1つまたは複数のMBSFNサブフレームにベアラするPMCHに、それぞれそのMCS情報を配置し、
ネットワーク側設備は、前記1つまたは複数のMBSFNサブフレームをセクションし、各セクションが1つまたは複数の連続的なMBSFNサブフレームを含み、ネットワーク側設備は、各セクションのMBSFNサブフレームにベアラするPMCHにそれぞれにMCS情報を配置し、
ネットワーク側設備は、前記1つまたは複数のMBSFNサブフレームに対してMSAP配分周期に従ってMCS配置を行い、MCHチャネルが複数のMSAP配置からなる場合に、1つまたは複数のMSAP配置に対応するMBSFNサブフレームにベアラするPMCHに、それぞれにMCS情報を配置する。
【００６４】
好ましくは、前記MCS情報は、以下の1種であることができるが、それに限定しない。
【００６５】
(1)具体的な変調符号化情報であり、或いは、
(2)1つのMCSリストのインデックスであり、この時に、ネットワーク側設備は、シグナリングメッセージ2によってUEに前記MCSリストを知らせ、このリストが1つまたは複数のMCS配置を含み、このMCS配置は具体的なMCS配置内容であってもよく、プロトコル予め定義した1組のMCS配置情報の中の1つへ指すのであってもよく、或いは、
(3)1つのMCSリストの1つのMCS配置標識であり、この時に、ネットワーク側設備がシグナリングメッセージ2によってUEに前記MCSリストを知らせ、このリストが1つまたは複数のMCS配置を含み、MCS配置のそれぞれが1つの配置標識に対応し、このMCS配置が具体的MCS配置内容であってもよく、プロトコル予め定義した1組のMCS配置情報の中の1つへ指すのであってもよく、或いは、
(4)1つのMCS配置インデックスであり、このインデックスがプロトコルに予め定義された1組のMCS配置情報へ指すのであり、或いは、
(5)デフォルトのMCS配置であり、ネットワーク側設備がシグナリングメッセージ3或いはプロトコルによって1種デフォルトのMCS配置を規定し、ネットワーク側設備が何かMBSFNサブフレームにMCS情報を配置しないと、これらのMBSFNサブフレームにベアラする伝送ブロックが前記デフォルトのMCS配置を採用し、このMCS配置が具体的なMCS配置内容であってもよく、プロトコル予め定義した1組のMCS配置情報の中の1つへ指すのであってもよい。
【００６６】
前記シグナリングメッセージ1、シグナリングメッセージ2、シグナリングメッセージ3は、システムメッセージ、MCCHメッセージ或いはスケジューリング情報或いはスケジューリング情報をベアラするMAC制御情報ブロック(MAC control element)、或いはネットワーク側設備がUEに送信したほかのメッセージまたはMAC制御情報ブロック、或いはMBSFNサブフレームにベアラすう物理チャネルシグナリングであってもよいが、それに限定しない。
【００６７】
前記のある時間内でのMBSFNサブフレームとは、MCHチャネルの1つのスケジューリング周期内でのMBSFNサブフレーム、或いはMSAPオケージョン (MSAP occasion)時間帯内に含むMBSFNサブフレーム、或いは1つのロジカルチャネルの送信周期で送信するMBSFNサブフレームと言う。
【００６８】
図3は、本発明マルチメディアブロードキャストマルチキャスト業務動的多重化のリソース配分方法を採用した応用示例フローチャート図であり、この実施方法の好ましい方案とする。
【００６９】
ステップ101で、ネットワーク側設備は、まず、1つのスケジューリング周期内においてMCH伝送チャネルがベアラする必要があるロジカルチャネルをスケジュールし、各ロジカルチャネルのデータブロックが伝送チャネルにベアラする伝送順番を決定する。ネットワーク側設備がサービススケジューリングを行う時に、同じサービス品質需要を有するロジカルチャネルデータを連続なMBSFNサブフレームにスケジュールして送信することは好ましい。
【００７０】
ステップ102で、ネットワーク側設備は、異なるロジカルチャネルがサービス品質に対する需要に応じて、適合のMCSを決定する。
【００７１】
ステップ103で、ネットワーク側設備は、MCSとロジカルチャネルデータブロックの数量に基づいて各ロジカルチャネルの開始と終了MBSFNサブフレーム位置を決定する。具体的に、ネットワーク側設備は、MCSに基づいてこのMCSのMBSFNサブフレームを採用して伝送できるデータの大きさが知り、そして、ステップ1でのロジカルチャネル送信順番と各ロジカルチャネルのデータ量に基づいて、各ロジカルチャネルのデータを伝送することにはMBSFNサブフレームを占用する必要がある数を決定することができる。
【００７２】
ステップ104で、ネットワーク側設備は、本方法におけるシグナリングメッセージによってMBSFNサブフレームに対応するPMCHのMCS情報をUEに送信し、且つ前記MBSFNサブフレームにベアラするデータに対して、それに配置するMCSを採用して変調符号化処理を行ってからUEに送信する。
【００７３】
ステップ105で、UEは、シグナリングメッセージに基づいて、受信する必要があるMBSFNサブフレーム配置のMCS配置を取得し、且つこのMCS配置を使用して対応するMBSFNサブフレームを受信する。
【００７４】
次は、何種のシグナリング配置の詳しい例であり、この実施例の好ましい方案とする。
【００７５】
1、ネットワーク側設備は、MCCHメッセージ或いはシステムメッセージにおいて、1つのスケジューリング周期内でのMSAP occasion配置を指示し、1つのまたは複数のMSAP配置を含み、MCCHメッセージ或いはシステムメッセージ或いはスケジューリング情報にMCSリストを配置し、MCSリストが1つのまたは複数のMCS配置を含み、このMCS配置が具体的なMCS配置内容であってもよく、プロトコル予め定義した1組のMCS配置情報の中の1つへ指すのであってもよい。ネットワーク側設備は、スケジューリング情報においてMBSFNサブフレームのセクションの情報を指示し、MBSFNサブフレームのセクションのそれぞれが1つまたは複数の連続的なMBSFNサブフレームを含み、それぞれのセクションにおいて対応するMCS情報を配置しており、このMCS情報がMCSリストでの1つのMCS具体的な配置に指すインデックスである。ネットワーク側設備がシステムメッセージ或いはMCCHメッセージ或いはスケジューリング情報においてデフォルトMCS配置を配置し、MCS情報を配置しないMBSFNセクションがデフォルトのMCS配置を採用することは好ましい。
【００７６】
2、ネットワーク側設備は、MCCHメッセージ或いはシステムメッセージにおいて1つのスケジューリング周期内でのMSAP occasion配置を指示し、1つのまたは複数のMSAP配置を含み、MCCHメッセージ或いはシステムメッセージ或いはスケジューリング情報にMCSリストを配置し、MCSリストが1つのまたは複数のMCS配置を含み、このMCS配置が具体的なMCS配置内容であってもよく、プロトコル予め定義した1組のMCS配置情報の中の1つへ指すのであってもよい。ネットワーク側設備は、MCCHメッセージ或いはスケジューリング情報において、前記システムメッセージ或いはMCCHメッセージに携帯した1つまたは複数のMSAPに対して、それに対応するMBSFNサブフレームの対応するMCS情報を配置し、このMCS情報がMCSリストにおける1つのMCS具体的な配置に指すインデックスである。ネットワーク側設備は、システムメッセージ或いはMCCHメッセージ或いはスケジューリング情報にデフォルトMCS配置を配置し、MCS情報を配置しないMSAP配置が対応するMBSFNサブフレームがデフォルトのMCS配置を採用することは好ましい。
【００７７】
3、ネットワーク側設備は、MCCHメッセージ或いはシステムメッセージにおいて1つのスケジューリング周期内でのMSAP occasion配置を指示し、1つのまたは複数のMBSFNサブフレームを含み、MCCHメッセージ或いはシステムメッセージ或いはスケジューリング情報にMCSリストを配置し、MCSリストが1つのまたは複数のMCS配置を含み、このMCS配置が、具体的なMCS配置内容であってもよく、プロトコル予め定義した1組のMCS配置情報の中の1つへ指すのであってもよい。ネットワーク側設備は、スケジューリング情報或いはMCCHメッセージにおいて、1つのまたは複数の前記MBSFNサブフレームに採用するMCS情報を指示し、このMCS情報がMCSリストにおける1つのMCS具体的な配置に指すインデックスである。ネットワーク側設備は、システムメッセージ或いはMCCHメッセージ或いはスケジューリング情報にデフォルトMCS配置を配置し、MCS情報を配置しないMSAP配置に対応するMBSFNサブフレームがデフォルトのMCS配置を採用することは好ましい。
【００７８】
4、ネットワーク側設備は、MCCHメッセージ或いはシステムメッセージにおいて1つのスケジューリング周期で内のMSAP occasion配置を指示し、1つのまたは複数のMBSFNサブフレームを含む。ネットワーク側設備は、スケジューリング情報或いはMCCHメッセージにおいて1つまたは複数のMBSFNサブフレーム、或いは1つまたは複数のサブフレームセクションに採用するMCS情報を指示し、このMCS情報がプロトコルに予め定義された1つのMCS配置リストにおけるMCS配置へ指すインデックスである。ネットワーク側設備は、システムメッセージ或いはMCCHメッセージ或いはスケジューリング情報にデフォルトMCS配置を配置し、MCS情報を配置しないMSAP配置に対応するMBSFNサブフレームがデフォルトのMCS配置を採用することは好ましい。
【００７９】
前記実施例において、前記MBSFNサブフレームが採用するMCS配置とは、MBSFNサブフレームにベアラするPMCHチャネルが採用するMCSであり、或いは、MBSFNサブフレームにベアラするPMCHに対応するMCH伝送ブロックが採用するMCSである。
【実施例２】
【００８０】
本実施例において、ネットワーク側設備は、異なるMBSFNサブフレームにベアラするロジカルチャネルの需要に応じて、ロジカルチャネルに対して異なるMCSを配置することにより、ロジカルチャネルをベアラするMBSFNサブフレームにベアラするPMCHに対して異なるMCSを採用し、つまり、ロジカルチャネルをベアラするMBSFNサブフレームにベアラするMCH伝送ブロックに対して異なるMCSを採用して処理を行う。MBSFNサブフレームにベアラされるMCH伝送ブロックのそれぞれが1つのMCS配置に対応し、異なるMBSFNサブフレームにベアラされるMCH伝送ブロックが異なるMCSを採用することができる。
【００８１】
ネットワーク側設備は、シグナリングメッセージ1によって1つの時間帯内で1つのまたは複数のロジカルチャネルに対応するMCS配置をUEに知らせ、且つ前記時間帯内で1つまたは複数のロジカルチャネルがマッピングしたMBSFNサブフレーム位置情報をUEに知らせ、UEは前記情報によって前記時間帯内で前記ロジカルチャネルが所在するMBSFNサブフレームに採用するMCSを取得し、且つ前記MCSに基づいて前記MBSFNサブフレームにベアラするPMCHに対してデコード処理を行う。本実施例において、ネットワーク側設備は、ロジカルチャネルに従ってMCS配置を行う。
【００８２】
実施例2と実施例1の区別は、配置方式の違いにある。
【００８３】
好ましくは、ネットワーク側設備は、下記の方式によってUEに前記1つの時間帯内でロジカルチャネルのMCS配置を知らせてもよいが、それに限定しない。
【００８４】
方式1において、ネットワーク側設備は、前記1つまたは複数のロジカルチャネルにそれぞれにMCSを配置する。
【００８５】
方式2において、ネットワーク側設備は、前記1つまたは複数のロジカルチャネルを分類し、各類のロジカルチャネルが一種のMCS配置を採用する。
【００８６】
方式3において、ネットワーク側設備は、前記1つのと複数のロジカルチャネルをセクションし、ロジカルチャネルのセクションごとにそれぞれにMCSを配置し、ロジカルチャネルセクションごとには1つまたは複数のシグナリングメッセージに連続的に配置するロジカルチャネルを含み、例えば、MCCHメッセージにおいて、サービスのロジカルチャネルの配置情報が順番に従って配列し、また例えば、スケジューリング情報において、業務のロジカルチャネルスケジューリング情報が順番に従って配列する。
【００８７】
好ましくは、前記MCS情報が以下の一種であることができるが、それに限定しない。
【００８８】
(1)  具体的な変調符号化情報である。
【００８９】
(2)  1つのMCSリストのインデックスであり、この時に、ネットワーク側設備は、シグナリングメッセージ2によってUEに前記MCSリストを知らせ、このリストが1つまたは複数のMCS配置を含み、このMCS配置が具体的なMCS配置内容であってもよく、プロトコル予め定義した1組のMCS配置情報の中の1つへ指すのであってもよい。
【００９０】
(3)、1つのMCSリストにおける1つのMCS配置の標識であり、この時に、ネットワーク側設備は、シグナリングメッセージ2によってUEに前記MCSリストを知らせ、このリストが1つまたは複数のMCS配置を含み、それぞれのMCS配置が1つの標識を有し、このMCS配置が具体的なMCS配置内容であってもよく、プロトコル予め定義した1組のMCS配置情報の中の1つへ指すのであってもよい。
【００９１】
(4)  1つのMCS配置インデックスであり、このインデックスがプロトコル予め定義した1組のMCS配置情報へ指すのである。
【００９２】
(5)  デフォルトMCS配置であり、このような方法において、ネットワーク側設備は、シグナリングメッセージ3或いはプロトコルによって１種のデフォルトのMCS配置を規定し、ネットワーク側設備は、何かのMBSFNサブフレームにMCS情報を配置しないと、これらのMBSFNサブフレームにベアラする伝送ブロックが、前記デフォルトのMCS配置を採用し、このMCS配置が具体的なMCS配置内容であってもよく、プロトコル予め定義した1組のMCS配置情報の中の1つへ指すのであってもよい。
【００９３】
前記シグナリングメッセージ1、シグナリングメッセージ2、及びシグナリングメッセージ3は、システムメッセージ、MCCHメッセージまたはスケジューリング情報またはスケジューリング情報をベアラするMAC制御情報ブロック、或いはネットワーク側設備がUEに送信したほかのメッセージまたはMAC制御情報ブロックであることができるが、それに限定しない。
【００９４】
前記ある時間内でのMBSFNサブフレームとは、MCHチャネルの1つのスケジューリング周期内でのMBSFNサブフレーム、或いはMSAPオケージョン (MSAP occasion)時間帯内において配分したMBSFNサブフレーム、或いは1つのロジカルチャネルの送信周期において送信したMBSFNサブフレームである。
【００９５】
次に、1つの詳しい応用示例を提供し、この実施方法の好ましい方案とする。
【００９６】
ステップ201において、ネットワーク側設備は、まず、1つのスケジューリング周期でMCH伝送チャネルがベアラする必要があるロジカルチャネルに対してスケジューリングすることにより、各ロジカルチャネルのデータブロックの伝送チャネルにおける伝送順番を決定する。好ましくは、ネットワーク側設備がサービススケジューリングを行う時に、同じサービス品質需要を有するロジカルチャネルデータを連続的に送信し、或いは好ましくは、ネットワーク側設備が上層ネットワーク要素MCEが指示した業務の送信順番に基づいてこれらのサービスロジカルチャネルデータの送信順番をスケジュールする。
【００９７】
ステップ202において、ネットワーク側設備は、異なるロジカルチャネルがサービス品質への需要に応じて適合のMCSを決定し、或いは上層ネットワーク要素MCE指示要求に基づいて適合のMCSを選択する。
【００９８】
ステップ203において、ネットワーク側設備は、シグナリングメッセージによって前記1つまたは複数のロジカルチャネルデータが採用するMCS配置、及び前記1つのと複数のロジカルチャネルをベアラするMBSFNサブフレームの位置情報をUEに知らせる。
【００９９】
ステップ204において、ネットワーク側設備は、1つのと複数のロジカルチャネルがマッピングした物理チャネルPMCHデータに対して、対応するロジカルチャネルのMCSを採用して処理を行った後UEに送信し、1つのMBSFNサブフレームが複数のMCS異なるロジカルチャネルをベアラすると、ネットワーク側設備は、最高または最低のMCSを採用してこのMBSFNサブフレームにベアラするPMCHデータに対して処理を行う。
【０１００】
ステップ205において、UEはシグナリングメッセージに基づいて受信する必要があるロジカルチャネル配置のMCSと、このロジカルチャネルがマッピングしたMBSFNサブフレームを取得し、各MBSFNサブフレームにベアラするPMCHが採用するMCS配置を得る。且つこのMBSFNサブフレームにマッピングしたすべてのロジカルチャネルのMCSに基づいて、最高または最低のMCSを選択して受信したデータに対して処理行う。
【０１０１】
次は、この実施例の好ましい方案として、何種のシグナリング配置の詳しい例を例示している。
【０１０２】
1.ネットワーク側設備は、MCCHメッセージまたはシステムメッセージにおいて1つのスケジューリング周期内でのMSAP occasion配置を指示し、MCCHメッセージ或いはシステムメッセージ或いはスケジューリング情報にMCSリストを配置し、MCSリストが1つのまたは複数のMCS配置を含み、このMCS配置が具体的なMCS配置内容であってもよく、プロトコル予め定義した1組のMCS配置情報の1つへ指すのであってもよい。ネットワーク側設備は、MCCHメッセージまたはスケジューリング情報において1つのまたは複数のロジカルチャネルのMCS情報を指示し、このMCS情報がMCSリストにおける1つのMCS具体的な配置に指すインデックスである。好ましくは、ネットワーク側設備がシステムメッセージ或いはMCCHメッセージ或いはスケジューリング情報においてデフォルトMCS配置を配置し、MCS情報を配置しないロジカルチャネルがデフォルトのMCS配置を採用する。
【０１０３】
2.ネットワーク側設備は、MCCHメッセージ或いはシステムメッセージにおいて1つのスケジューリング周期内でのMSAP occasion配置を指示し、MCCHメッセージ或いはシステムメッセージ或いはスケジューリング情報においてMCSリストを配置し、MCSリストが1つのまたは複数のMCS配置を含み、このMCS配置が具体的なMCS配置内容であってもよく、プロトコル予め定義した1組のMCS配置情報の中の1つへ指すのであってもよい。ネットワーク側設備は、1つまたは複数のロジカルチャネルを分類し、且つMCCHメッセージまたはスケジューリング情報に前記ロジカルチャネル分類情報を携帯する。MCCHまたはスケジューリング情報において1つまたは複数のロジカルチャネル分類に対してMCS情報を配置し、このMCS情報がMCSリストにおける1つのMCS具体的な配置に指すインデックスである。好ましくは、ネットワーク側設備がシステムメッセージ或いはMCCHメッセージ或いはスケジューリング情報においてデフォルトMCS配置を配置し、MCS情報を配置しないMSAP配置に対応するMBSFNサブフレームがデフォルトのMCS配置を採用する。好ましくは、前記ロジカルチャネルに類別標識を配置しており、同時に、ネットワーク側設備が類別標識とMCS配置との対応関係をUEに送信する。
【０１０４】
3.ネットワーク側設備は、MCCHメッセージまたはシステムメッセージにおいて1つのスケジューリング周期内でのMSAP occasion配置を指示し、1つのまたは複数のMBSFNサブフレームを含み、MCCHメッセージ或いはシステムメッセージ或いはスケジューリング情報においてMCSリストを配置し、MCSリストが1つのまたは複数のMCS配置を含み、このMCS配置が具体的なMCS配置内容であってもよく、プロトコル予め定義した1組のMCS配置情報の中の1つへ指すのであってもよい。ネットワーク側設備は、1つまたは複数のロジカルチャネルに対して、そのシグナリングメッセージ配置の順番に従ってセクションし、MCCHメッセージまたはスケジューリング情報において前記ロジカルチャネルのセクションの情報を携帯する。MCCHまたはスケジューリング情報において1つまたは複数のロジカルチャネルセクションにMCS情報を配置し、このMCS情報がMCSリストにおける1つのMCS具体的な配置に指すインデックスである。好ましくは、ネットワーク側設備がシステムメッセージ或いはMCCHメッセージ或いはスケジューリング情報においてデフォルトMCS配置を配置し、MCS情報を配置しないMSAP配置に対応するMBSFNサブフレームがデフォルトのMCS配置を採用する。
【０１０５】
4.ネットワーク側設備は、MCCHメッセージまたはシステムメッセージにおいて1つのスケジューリング周期内でのMSAP occasion配置を指示し、1つのまたは複数のMBSFNサブフレームを含み。ネットワーク側設備は、スケジューリング情報またはMCCHメッセージにおいて1つまたは複数のロジカルチャネル、或いは、1つまたは複数のロジカルチャネルのセクション、或いは、1つまたは複数のロジカルチャネル類型が採用するMCS情報を指示し、このMCS情報がプロトコル予め定義した1つのMCS配置リストにおけるMCS配置へ指すインデックスである。好ましくは、ネットワーク側設備がシステムメッセージ或いはMCCHメッセージ或いはスケジューリング情報においてデフォルトMCS配置を配置し、MCS情報を配置しないMSAP配置に対応するMBSFNサブフレームが、デフォルトのMCS配置を採用する。
【０１０６】
前記実施例において、前記MBSFNサブフレームが採用するMCS配置とは、MBSFNサブフレームにベアラするPMCHチャネルが採用するMCS、或いは、MBSFNサブフレームにベアラするPMCHに対応するMCH伝送ブロックが採用するMCSと言う。
【実施例３】
【０１０７】
本発明に係る実施例1と実施例2とは、ネットワーク側設備がMSAPオケージョン における異なるMBSFNサブフレームに対して異なるMCSを採用する方法を提供する。UEには正確的にMSCHを受信し、或いは、情報MAC制御ユニット(MAC CE)をスケジュールすることができることを求めて、さもないと、UEがMBSFNサブフレームとMCSの対応関係を知らないようになる。
【０１０８】
本実施例は、UEがMBSFNサブフレームを受信する方法を提供し、UEが正確的に前記MSCHを受信し、或いは、情報MAC制御ユニットをスケジュールすることができない場合に、UEがブラインド検出試み方式によって前記MBSFNサブフレームに対して処理を行う。
【０１０９】
具体的に、ネットワーク側設備は、システムメッセージまたはMCCHメッセージにおいて、1つのMSAPオケージョン にMBSFNサブフレームが採用したすべてのMCS或いは採用する可能性があるすべてのMCSを指示する。UEは、あるサブフレームが採用するMCSを知らない時に、採用するすべてのMCS或採用する可能性があるすべてのMCSに基づいて、サブフレームにベアラするPMCHのデータに対して処理行う。
【０１１０】
1つのMSAPオケージョン において、採用可能なMCSが限界があるため、UEがMCCHまたはシステムメッセージにおいて指示した可能性があるMCSの採用を試みて、大きな代価をもたらしない。
【実施例４】
【０１１１】
本実施例は、サービス品質要求に応じてMCSを配置する方法を提供する。
【０１１２】
この本実施例の方法において、ネットワーク側設備は、システムメッセージ或いはMCCH或いはMSCH或いはスケジューリング情報MAC CEにおいて、UEに1つのMSAPオケージョン 或いは1つのスケジューリング周期内で採用する1つまたは複数のMCS及び前記MCSの応用順番を指示する。
【０１１３】
ネットワーク側設備は、同じMCSのサービスを採用するデータを、前記スケジューリング周期において連続的にスケジュールして送信し、このように、同じMCSを採用するMBSFNサブフレームが一つのセクション連続的なMBSFNサブフレームに現れる。
【０１１４】
ネットワーク側設備は、UEに採用する1つまたは複数のMCS及び前記MCSの応用順番を指示し、具体的に、以下の方式を採用することができる。
【０１１５】
ネットワーク側設備は、前記1つまたは複数のMCSを、これらのMCSの前記スケジューリング周期内での応用順番に従ってUEに指示し、或いは、前記これらのMCS情報を応用順番に従って配列する。
【０１１６】
UEは、前記MCSの応用順番に基づいて、順次にMCSを選択してMBSFNサブフレームに対してブラインド検出を行う。
【０１１７】
次に、本実施例に提供した方法について具体的な例を挙げて説明する。
【０１１８】
ネットワーク側は、1つのスケジューリング周期内でのサブフレーム0からサブフレーム100までMCS 1を採用し、サブフレーム101から200までMCS 2を採用し、サブフレーム201から300までMCS 3を採用する。
【０１１９】
ネットワーク側設備は、このスケジューリング周期において採用するMCS、及びこれらのMCSの応用順番をUEに指示し、つまり、MCS 1、MCS 2、及びMCS 3の順番をUEに指示する。
【０１２０】
具体的に、ネットワーク側設備は、前記MCS 1、MCS 2、及びMCS 3を1つのリストに構成し、且つこの順番に従ってリストに前記のMCS情報を配列する。
【０１２１】
或いは、ネットワーク側設備は、UEに指示したMCCHメッセージが携帯したサービス配置情報とともに、それが採用するMCS情報を携帯し、業務の送信順番がMCCHメッセージを通ってUEに指示するので、MCSの応用順番は、それに対応する業務の送信順番である。
【０１２２】
UEは、MBSFNサブフレームに対してMCSブラインド検出を行う時に、まず、第1のMCS 1を採用して検出し、リストでのMCSの順番が本当のMBSFNサブフレームに応用する順番と同じであるので、サブフレーム0からサブフレーム100までの範囲に、UEは1回だけ検出することによって、正確的にMBSFNサブフレームをデコードすることができる。
【０１２３】
UEは、サブフレーム101をデコードする時に、まず、MCS1を採用し、次に、MCS 2を採用し、この時、正確的にMBSFNサブフレーム101をデコードすることができるように、2回のブラインド検出を採用する必要がある。後続のサブフレーム検出中に、UEはMCS 2から検出する限り、このように、サブフレーム101から200まで、UEは1回だけ検出で正確的にデコードできる。
【０１２４】
UEは、サブフレーム201をデコードする時に、MCS 2からブラインド検出を開始して、次に、MCS 3を採用して正確にサブフレーム201をデコードすることができる。つまり、サブフレーム201検出において、UEは2回ブラインド検出を採用した。201サブフレームから、UEがMCS 3からブラインド検出を開始する。このように、サブフレーム201から300まで、UEは、1回だけ検出で正確的にMBSFNサブフレームをデコードすることができる。
【０１２５】
もちろん、本発明は、さらに他の多種の実施例を有し、本発明の精神及びその趣旨から離れない場合に、当業者は、本発明に基づいて各種の相応な変更と変形をすることができるが、これらの相応な変更と変形がいずれも本発明に付加した請求項記載の保護範囲に属するべきである。
【図１】
0005339563.tif 000002
【図２】
0005339563.tif 000003
【図３】
0005339563.tif 000004